(57)【要約】【課題】物品を保持してポール等の棒状部材に固定するに際し、可動する機構を用いた複雑な構造とせずに壊れ難くすると共に、固定具を棒状部材に強固に固定し移動しないようにでき、固定具を棒状部材から容易に外すことができるようにする。【解決手段】物品を保持する物品保持部と、ポール５０の周面に押し付けられる第１押付部とを有する第１挾持部材１０と、ポール５０の周面に押し付けられる第２押付部を有する第２挾持部材２０とを備え、第１挾持部材１０は、第２挾持部材２０の凹部２１ｄ１、２１ｄ２に嵌合する凸部１１ｅ１、１１ｅ２を有し、第１押付部及び第２押付部は、第１挾持部材１０と第２挾持部材２０がポール５０を挟持して嵌合されたときに、大きく弾性変形して棒状部材の周面を強く押し付ける低弾性率部材１４、２２を備えている物品保持具１。【選択図】図１
2020200889.tif 000002
【特許請求の範囲】
【請求項１】
物品を保持して棒状部材へ取外し可能に固定される物品保持具であって、
前記物品を保持する物品保持部と、前記棒状部材の周面に押し付けられる第１押付部とを有する第１挾持部材と、
前記棒状部材の周面に押し付けられる第２押付部を有する第２挾持部材と
を備え、
前記第１挾持部材は、前記第２挾持部材に嵌合する第１嵌合部を有し、
前記第２挾持部材は、前記第１挾持部材に嵌合する第２嵌合部を有し、
前記第１押付部及び前記第２押付部は、前記第１挾持部材と前記第２挾持部材が前記棒状部材を挟持して嵌合されたときに、大きく弾性変形して棒状部材の周面を強く押し付ける低弾性率部材を備えていることを特徴とする物品保持具。
【請求項２】
前記低弾性率部材の縦弾性係数は、１〜１００ＭＰａであることを特徴とする請求項１記載の物品保持具。
【請求項３】
前記低弾性率部材は、エラストマーまたはゴムであることを特徴とする請求項１又は請求項２記載の物品保持具。
【請求項４】
前記第１挾持部材と前記第２挾持部材が前記棒状部材を挟持して嵌合されたときに、前記第１押付部及び前記第２押付部と前記棒状部材の周面との間の隙間に挿入される隙間補完部材をさらに備えたことを特徴とする請求項１乃至請求項３のいずれかに記載した物品保持具。
【請求項５】
前記物品は、液体容器、タオル、鏡のいずれかであることを特徴とする請求項１乃至請求項４のいずれかに記載した物品保持具。
【請求項６】
首部を有する液体容器を保持して棒状部材に固定される液体容器保持具であって、
前記棒状部材の周面に固定される棒状部材固定部と、
前記液体容器の前記首部を把持する液体容器把持部を備えたことを特徴とする液体容器保持具。
【請求項７】
前記液体容器保持具は、
前記棒状部材の周面に押し付けられる第１押付部、前記首部の一部を把持する湾曲部及び前記首部の他の部分を把持する回動アームを有する第１挾持部材と、
前記棒状部材の周面に押し付けられる第２押付部を有する第２挾持部材とを備え、
前記第１押付部と前記第２押付部により前記棒状部材固定部が形成され、
前記湾曲部と前記回動アームにより前記液体容器把持部が形成されることを特徴とする請求項６記載の液体容器保持具。
【請求項８】
前記棒状部材は、シャワーヘッドやシャワーホースを取り付けるポールであり、
前記液体容器は、シャンプー、リンス、ボディーソープ等の洗髪料、洗顔料、洗浄料が入った液体容器であることを特徴とする請求項６又は請求項７記載の液体容器保持具。
【発明の詳細な説明】
【技術分野】
【０００１】
本発明は、シャンプー等が入った液体容器、タオル、鏡等の物品を保持してポール等の棒状部材に固定される物品保持具及び液体容器保持具に関するものである。
【背景技術】
【０００２】
身体を洗浄等するシャンプー、リンス、ボディーソープ等の洗髪料、洗顔料、洗浄料等は、ボトル状の液体容器に入れられて浴室で使用されるが、このシャンプー等の液体容器は、壁面等に取り付けられた受け皿（ケース）や棚に置かれて保管されることが多い。
この場合、シャンプー等が入った液体容器を受け皿や棚に保管すると、日数が経つにつれて液体容器の底に湯垢や洗浄剤のぬめり等が付着して、液体容器、受け皿や棚が汚れてくるという問題がある。
一方、身体を洗浄等している間、あるいは、洗浄等した後には、タオル、鏡等が使用されるが、タオルは、タオルハンガーに掛けて、鏡は立て掛けて保管されることが多い。
そして、シャンプー等はシャワーと共に使用されることから、シャンプー等の液体容器はシャワーの直ぐ近くに保管されるのが便利であり、そのためには、シャワーヘッドやシャワーホースを取り付けるポールにシャンプー等の液体容器を保持させて保管することが考えられる。
同様に、タオルや鏡等もポールに取り付けて保管することが考えられる。
ところで、ポールに飲料水の缶等を保持する器具として、以下のような種々の器具が提案されている。
例えば、特許文献１には、飲料水を飲まない時に缶を直接地面に置くことがなく、しかも手で把持することもなく、容易に支柱に着脱することが可能な容器等の保持機構を提供することを課題として、容器本体を保持し、且つ支柱を挟持する一対の挟持片を有する係止体と、該係止体の挟持片を相互に近接する方向に付勢する弾性体とから構成されてなる容器等の保持機構が提案されている。
特許文献２には、特許文献１と同じ課題の下に、容器本体が設けられる嵌合体と、支柱を両側より挟持する一対の挟持片を有する係止体とを備え、且つ該挟持片は支柱を挟持する方向に付勢すべく、前記嵌合体の内面にテーパー嵌合されてなる容器等の保持機構が提案されている。
特許文献３には、特許文献１、特許文献２と同じ課題の下に、一対の挟持体が互いに回動自在となるように交差状に軸支され、両挟持体の上部には支柱を両側から挟持するための一対の挟持部が設けられ、且つ下部には缶等を保持する一対の容器本体が設けられ、しかもこれら挟持体の間には前記両挟持部が支柱を挟持する方向に挟持体を付勢するための弾性体８が設けられてなる容器等の保持機構が提案されている。
【０００３】
しかしながら、特許文献１〜特許文献３の容器等の保持機構は、支柱を挟持する一対の挟持片（挟持部）が、支柱に対して近接する方向に可動する機構を備えていることから、機構が複雑となり、壊れやすいという問題がある。
また、特許文献１〜特許文献３の容器等の保持機構では、一対の挟持片（挟持部）が、ネジ体、バネ、テーパー嵌合等により、支柱に対して近接、離間する方向に移動し、係止体（挟持体）を支柱に取り付けるときは、一対の挟持片を支柱に近接する方向に移動させて支柱に押し付け、係止体（挟持体）を支柱から取り外すときは、一対の挟持片を支柱から離間する方向に移動させ、一対の挟持片の間隔を支柱の外径より広げるようになっていることから、一対の挟持片（挟持部）支柱に強く押し付けることができず（機構的に強く押し付けることが難しく、また、強く押し付けると支柱から外すのが困難となる）、係止体（挟持体）が、支柱に沿って滑って下方に移動しやすく、係止体（挟持体）を支柱に強固に固定し移動しないようにできないという問題がある。
【０００４】
この点、特許文献４には、一方の挾持体の表面に適宜な作用体を取り付けることのできる装着部を設けた２個の挾持体と、挾持体の両側を連結するボルト部と、ボルト部に螺合した締付体と、適宜な作用体とで構成し、特に挾持体とボルト部との連結を、横回動自在の枢結構造とし、更に締付体の螺合するボルト棒との連結を挿通孔と横回動で嵌合できる挿入溝を形成し、各挾持体の湾曲凹面に滑り止め部材を張設してなるにしてなるテントポール、パイプ椅子等への装着器具が開示されている。
しかしながら、特許文献４の装着器具も、特許文献１〜特許文献３の容器等の保持機構と同様に、パイプ部分を２個の挾持体が、パイプ部分に対して近接する方向に可動する機構を備え、しかも、ボルト部と、ボルト部に螺合した締付体とを有し、挾持体とボルト部との連結を横回動自在の枢結構造等としていることから、機構がより複雑となり、より壊れやすいという問題がある。
また、特許文献４の装着器具においては、各挾持体の湾曲凹面に滑り止め部材が張設されているが、ボルト部に螺合した締付体を締め付けて、２個の挾持体（滑り止め部材）をパイプ部分に押し付けることから、特許文献１〜特許文献３と同様に、２個の挾持体（滑り止め部材）をパイプ部分に強く押し付けることができず（締付体を強く締め付けると、ボルト部のネジ山が潰れるおそれがあり、また、締付体を緩めて２個の挾持体をパイプ部分から外すのが困難となる。）、２個の挾持体をパイプ部分に強固に固定し移動しないようにできないという問題がある。
【０００５】
次に、特許文献１〜特許文献３の保持機構において、支柱に保持される容器は、飲料水の缶等の受け皿乃至載せ台であることから、この保持機構をシャンプー等が入った液体容器の保持に適用すると、支柱に保持された（取り付けられた）容器（受け皿）にシャンプー等の液体容器を保持させることとなり、日数が経つにつれて容器（受け皿）が汚れるという問題が生じ、また、シャンプー等の液体容器には種々の形状や大きさのものがあり、シャンプー等の液体容器の形状や大きさに合わせた容器（受け皿）を用意する必要があり、汎用性に欠けるという問題がある。
この点、特許文献５には、Ｃ形クリップ座の両側に取り付けられた携行帯取付座によって携行帯の末端が締め付けられ、クリップ座の中央のＣ形環状のホルダーにラムネボトルのネックをはさむように構成されたラムネボトルの携行帯取付機構が開示されている。
また、特許文献６には、ＰＶＣボトルとコップの携帯に供するクリップ付きのホルダーであって、上ホルダーと下ホルダー及び下クランプリングの組合せから構成され、上ホルダーに上クランプリングを設け、上クランプリングにボトルのネック部分をはめ込み、下クランプリングにボトルの腹部を挟むことにより、ＰＶＣボトルを固定するＰＶＣボトルとコップの携帯用ホルダーが開示されている。
しかしながら、特許文献５のラムネボトルの携行帯取付機構において、ボトルのネックをはさむＣ形クリップ座は、使用者が身に着ける携行帯に取り付けられるものであり、また、特許文献６の携帯用ホルダーも、使用者の腰のバンドに挟み込まれて取り付けられるものである。
よって、特許文献５ラムネボトルの携行帯取付機構や特許文献６の携帯用ホルダーは、浴室等に設置されたポール（支柱）に取り付けるものではない。
【先行技術文献】
【特許文献】
【０００６】
【特許文献１】実開平５−５１７３７号公報
【特許文献２】実開平５−５１７３８号公報
【特許文献３】実開平５−５１７３９号公報
【特許文献４】実用新案登録第３０２５４７４号公報
【特許文献５】特許第２８８９８７５号公報
【特許文献６】実用新案登録第３０７０６４３号公報
【発明の概要】
【発明が解決しようとする課題】
【０００７】
本発明が解決しようとする第１の課題は、シャンプー等が入った液体容器、タオル、鏡等の物品を保持してポール等の棒状部材に固定するに際し、可動する機構を用いた複雑な構造とせずに壊れ難くすると共に、固定具を棒状部材に強固に固定し移動しないようにでき、固定具を棒状部材から容易に外すことができるようにすることである。
また、本発明が解決しようとする第２の課題は、シャンプー等が入った液体容器をポール等の棒状部材に保持して保管するに際し、日数が経過してもシャンプー等の液体容器を保持する部材に汚れが生ずることなく、また、種々の形状・大きさの液体容器を保持できるようにすることである。
【課題を解決するための手段】
【０００８】
請求項１の発明は、物品を保持して棒状部材へ取外し可能に固定される物品保持具であって、前記物品を保持する物品保持部と、前記棒状部材の周面に押し付けられる第１押付部とを有する第１挾持部材と、前記棒状部材の周面に押し付けられる第２押付部を有する第２挾持部材とを備え、前記第１挾持部材は、前記第２挾持部材に嵌合する第１嵌合部を有し、前記第２挾持部材は、前記第１挾持部材に嵌合する第２嵌合部を有し、前記第１押付部及び前記第２押付部は、前記第１挾持部材と前記第２挾持部材が前記棒状部材を挟持して嵌合されたときに、大きく弾性変形して棒状部材の周面を強く押し付ける低弾性率部材を備えている物品保持具を提供して、上記第１の課題を解決するものである。
【０００９】
請求項２の発明は、前記低弾性率部材の縦弾性係数は、１〜１００ＭＰａである物品保持具を提供して、上記第１の課題を解決するものである。
【００１０】
請求項３の発明は、前記低弾性率部材は、エラストマーまたはゴムである物品保持具を提供して、上記第１の課題を解決するものである。
【００１１】
請求項４の発明は、前記第１挾持部材と前記第２挾持部材が前記棒状部材を挟持して嵌合されたときに、前記第１押付部及び前記第２押付部と前記棒状部材の周面との間の隙間に挿入される隙間補完部材をさらに備えた物品保持具を提供して、上記第１の課題を解決するものである。
【００１２】
請求項５の発明は、前記物品は、液体容器、タオル、鏡のいずれかである物品保持具を提供して、上記第１の課題を解決するものである。
【００１３】
請求項６の発明は、首部を有する液体容器を保持して棒状部材に固定される液体容器保持具であって、前記棒状部材の周面に固定される棒状部材固定部と、前記液体容器の前記首部を把持する液体容器把持部を備えた液体容器保持具を提供して、上記第２の課題を解決するものである。
【００１４】
請求項７の発明は、前記液体容器保持具は、前記棒状部材の周面に押し付けられる第１押付部、前記首部の一部を把持する湾曲部及び前記首部の他の部分を把持する回動アームを有する第１挾持部材と、前記棒状部材の周面に押し付けられる第２押付部を有する第２挾持部材とを備え、前記第１押付部と前記第２押付部により前記棒状部材固定部が形成され、前記湾曲部と前記回動アームにより前記液体容器把持部が形成される液体容器保持具を提供して、上記第２の課題を解決するものである。
【００１５】
請求項８の発明は、前記棒状部材は、シャワーヘッドやシャワーホースを取り付けるポールであり、前記液体容器は、シャンプー、リンス、ボディーソープ等の洗髪料、洗顔料、洗浄料が入った液体容器である液体容器保持具を提供して、上記第２の課題を解決するものである。
【発明の効果】
【００１６】
請求項１乃至請求項３に記載の発明の物品保持具においては、物品を保持してポール等の棒状部材に固定するに際し、可動する機構を用いた複雑な構造とせずに壊れ難くすると共に、固定具を棒状部材に強固に固定し移動しないようにでき、固定具を棒状部材から容易に外すことができるという効果を奏する。
【００１７】
請求項５に記載の発明の液体容器保持具においては、さらに、種々の太さの棒状部材に対して強固に固定できるという効果を奏する。
【００１８】
請求項５に記載の発明の液体容器保持具においては、請求項１乃至請求項４に記載の発明と同様の効果を奏する。
【００１９】
請求項６乃至請求項８に記載の発明の液体容器保持具においては、シャンプー等が入った液体容器をポール等の棒状部材に保持して保管するに際し、日数が経過してもシャンプー等の液体容器を保持する部材に汚れが生ずることなく、また、種々の形状・大きさの液体容器を保持できるという効果を奏する。
【図面の簡単な説明】
【００２０】
【図１】本発明の実施形態である液体容器保持具を第１挾持部材と第２挾持部材に分離した状態の斜視図である。
【図２】図２は、図１に示す第１挾持部材の分解斜視図である。
【図３】図１に示す第１挾持部材の平面図である。
【図４】図１に示す第１挾持部材の背面図及び左側面図である。
【図５】図３のＡ−Ａ拡大断面図及びＢ−Ｂ拡大断面図である。
【図６】図１に示す第２挾持部材の分解斜視図である。
【図７】図１に示す第２挾持部材の平面図及び正面図である。
【図８】図７のＣ−Ｃ断面図及びＤ−Ｄ断面図である。
【図９】シャンプー容器及びリンス容器の斜視図である。
【図１０】図９に示すシャンプー容器の上部正面図である。
【図１１】液体容器保持具１でシャンプー容器３０とリンス容器４０を保持してポールに固定した状態の斜視図である。
【図１２】第１挾持部材１０と第２挾持部材２０のポールを挟持している部分の横断面図である。
【図１３】図１１のＥ−Ｅ断面図である。
【図１４】本発明の隙間補完部材となるアダプターの斜視図及び平面図である。
【図１５】図１４に示すアダプター６０を使用して液体容器保持具１を棒状部材であるポールに固定した状態の横断面図である。
【図１６】本発明の実施形態であるタオルハンガーを第１挾持部材と第２挾持部材に分離した状態の斜視図である。
【図１７】本発明の実施形態である鏡保持具を第１挾持部材と第２挾持部材に分離した状態の斜視図である。
【図１８】図１７に示す第１挾持部材の平面図である。
【図１９】図１７に示す第１挾持部材から鏡を外した状態の斜視図である。
【発明を実施するための形態】
【００２１】
［液体容器保持具の構成］
本発明の物品保持具が保持する物品が首部を有する液体容器である場合の実施形態と本発明の液体容器保持具の実施形態は共通する。
図１は、本発明の物品保持具が保持する物品が首部を有する液体容器である場合の本発明の実施形態である液体容器保持具を第１挾持部材と第２挾持部材に分離した状態の斜視図、図２は、図１に示す第１挾持部材の分解斜視図、図３は、図１に示す第１挾持部材の平面図、図４（ａ）は、図１に示す第１挾持部材の背面図、図４（ｂ）は、図１に示す第１挾持部材の左側面図、図５（ａ）は、図３のＡ−Ａ拡大断面図、図５（ｂ）は、図３のＢ−Ｂ拡大断面図、図６は、図１に示す第２挾持部材の分解斜視図、図７（ａ）は、図１に示す第２挾持部材の平面図、図７（ｂ）は、図１に示す第２挾持部材の正面図、図８（ａ）は、図７のＣ−Ｃ断面図、図８（ｂ）は、図７のＤ−Ｄ断面図である。
図中、１は液体容器保持具、１０は第１挾持部材、１１は本体部、１１ａは基部、１１ｂ１、１１ｂ２は湾曲部、１１ｃ１、１１ｃ２は孔部、１１ｄ１、１１ｄ２は第１リブ、１１ｅ１、１１ｅ２は凸部、１１ｆ１、１１ｆ２は段部、１２、１３は回動アーム、１２ａ、１３ａは基部、１２ｂ、１３ｂは湾曲アーム部、１２ｃ、１３ｃは孔部、１２ｄ、１３ｄは第２リブ、１４は低弾性率部材、１５ａ、１５ｂはボルト、１６ａ、１６ｂはバネ、１７ａ、１７ｂはナット、２０は第２挾持部材、２１は本体部、２１ａは半円筒部、２１ｂ１、２１ｂ２は直線部、２１ｃ１、２１ｃ２は突出部、２１ｄ１、２１ｄ２は凹部、２２は低弾性率部材である。
図１に示すように、液体容器保持具１は、第１挾持部材１０と第２挾持部材２０から構成される。
【００２２】
まず、第１挾持部材１０について説明する。
図２に示すように、第１挾持部材１０は、本体部１１、回動アーム１２、１３、低弾性率部材１４、ボルト１５ａ、１５ｂ、バネ１６ａ、１６ｂ及びナット１７ａ、１７ｂから構成される。
本体部１１は、ポリエリレン、ポリプロピレン等のプラスチックを成形したもので、左右対称の構造であり、中央にある基部１１ａ、左右に突出する湾曲部１１ｂ１、１１ｂ２、及び、基部１１ａと湾曲部１１ｂ１、１１ｂ２の間に設けられた段部１１ｆ１、１１ｆ２等より構成される。
基部１１ａは、背面側に設けられた円筒面と、左右に突出する凸部１１ｅ１、１１ｅ２を有している。この凸部１１ｅ１、１１ｅ２は、第２挾持部材２０の凹部２１ｄ１、２１ｄ２と嵌合する本発明の第１嵌合部となる。
湾曲部１１ｂ１、１１ｂ２は、回動アーム１２、１３と対向する半円筒面を有し、下端には半円筒面に沿って回動アーム１２、１３側に突出する第１リブ１１ｄ１、１１ｄ２が設けられている（図３参照）。
段部１１ｆ１、１１ｆ２は、基部１１ａと湾曲部１１１ｂ１、１１ｂ２の間の本体部１１の上半分を半円筒状にくり抜いて形成されたもので、外側に突出する略半円筒面を有し、中央部にはボルト１５ａ、１５ｂが挿通する孔部１１ｃ１、１１ｃ２が設けられている。
回動アーム１２、１３は、本体部１１と同様に、ポリエリレン、ポリプロピレン等のプラスチックを成形したものであり、基部１２ａ、１３ａと湾曲アーム部１２ｂ、１３ｂを備えている。
基部１２ａ、１３ａは、高さが本体部１１の略半分の円筒形状を有し、中央部にはボルト１５ａ、１５ｂが挿通する孔部１２ｃ、１３ｃが設けられている。
湾曲アーム部１２ｂ、１３ｂは、本体部１１の湾曲部１１ｂ１、１１ｂ２と対向する半円筒面を有し、下端には半円筒面に沿って湾曲部１１ｂ１、１１ｂ２側に突出する第２リブ１２ｄ、１３ｄが設けられている（図３参照）。
低弾性率部材１４は、略半円筒状の内面と外面を備えた略半円筒環形状を有し、エラストマーまたはゴムからなり、その縦弾性係数は、１〜１００ＭＰａ、好ましくは１〜１０ＭＰａである。
ボルト１５ａ、１５ｂは、ポリエリレン、ポリプロピレン等のプラスチック製であり、その先端部は雄ネジ部となっている。
バネ１６ａ、１６ｂは、硬鋼線やステンレス鋼線等からなり、一側が開いた円環部と円環部の両端部から広がるように伸びる直線部を備えている。
ナット１７ａ、１７ｂは、ポリエリレン、ポリプロピレン等のプラスチック製であり、ボルト１５ａ、１５ｂの雄ネジ部に螺合する雌ネジ部を有している。
【００２３】
第１挾持部材１０においては、本体部１１の段部１１ｆ１、１１ｆ２に、バネ１６ａ、１６ｂの円環部を挟んで回動アーム１２、１３の基部１２ａ、１３ａが重ねられ、回動アーム１２、１３の孔部１２ｃ、１３ｃ、バネ１６ａ、１６ｂの円環部、及び、本体部１１のる孔部１１ｃ１、１１ｃ２にボルト１５ａ、１５ｂが挿通され、ボルト１５ａ、１５ｂの雄ネジ部にナット１７ａ、１７ｂが螺合され、これにより、本体部１１に回動アーム１２、１３が回動可能に取り付けられる。
この本体部１１の湾曲部１１ｂ１、１１ｂ２と回動アーム１２、１３は、本発明の物品保持具における物品保持部となり、本発明の液体容器保持具における液体容器把持部となる。
このとき、バネ１６ａ、１６ｂの一方の直線部が回動アーム１２、１３の湾曲アーム部１２ｂ、１３ｂの内側に係合され、バネ１６ａ、１６ｂの他方の直線部が本体部１１の湾曲部１１ｂ１、１１ｂ２の内側に係合され、湾曲アーム部１２ｂ、１３ｂが湾曲部１１ｂ１、１１ｂ２から離れる方向に回動アーム１２、１３が回動（回転）すると、バネ１６ａ、１６ｂに回動アーム１２、１３を元に戻そうとする付勢力が生ずる。
また、本体部１１の基部１１ａの背面側にある円筒面に、低弾性率部材１４の略半円筒状の外面が嵌め込みあるいは接着等により固定され、これにより、本体部１１に低弾性率部材１４が取り付けられ、基部１１ａの背面側にある円筒面と低弾性率部材１４は、本発明の第１押付部となる。
【００２４】
次に、第２挾持部材２０について説明する。
図２に示すように、第２挾持部材２０は、本体部２１と低弾性率部材２２から構成される。
本体部２１は、ポリエリレン、ポリプロピレン等のプラスチックを成形したもので、図６〜図８に示すように、左右対称の構造であり、半円筒部２１ａと直線部２１ｂ１、２１ｂ２からな横断面Ｕ字形状の湾曲板である。
半円筒部２１ａと直線部２１ｂ１、２１ｂ２の境界部分には、上端部に半円形状の突出部２１ｃ１、２１ｃ２が設けられ、直線部２１ｂ１、２１ｂ２の内面側に凹部２１ｄ１、２１ｄ２が設けられている。
凹部２１ｄ１、２１ｄ２は、直線部２１ｂ１、２１ｂ２の上面から下部まで形成された溝であり、第１挾持部材１０の凸部１１ｅ１、１１ｅ２が嵌合する本発明の第２嵌合部となる。
低弾性率部材２２は、第１挾持部材１０の低弾性率部材１４と同様に、略半円筒状の内面と外面を備えた略半円筒環形状を有し、エラストマーまたはゴムからなり、その縦弾性係数は、１〜１００ＭＰａ、好ましくは１〜１０ＭＰａである。
そして、半円筒部２１ａの内面側にある円筒面に、低弾性率部材２２の略半円筒状の外面が嵌め込みあるいは接着等により固定され、これにより、本体部２１に低弾性率部材２２が取り付けられ、半円筒部２１ａの内面側にある円筒面と低弾性率部材２２は、本発明の第２押付部となる。
【００２５】
［液体容器保持具の使用方法］
次に、液体容器保持具１の使用方法について説明する。
図９（ａ）は、液体容器保持具１が保持する液体容器の例であるシャンプーが入ったシャンプー容器の斜視図、同図（ｂ）は、リンスが入ったリンス容器の斜視図、図１０は、図９（ａ）のシャンプー容器の上部正面図である。
図中、３０はシャンプー容器、４０はリンス容器、３１、４１は胴部、３２、４２は口部、３３、４３は首部、３４、４４はガイド部、３５、４５はシャフト部、３６、４６は頭部、３７、４７はノズル、３８、４８は溝部である。
シャンプー容器３０は、胴部３１、口部３２、首部３３、ガイド部３４、シャフト部３５、頭部３６、ノズル３７等からなり、胴部３１と首部３３の間に円環状の溝部３８が形成されている。
首部３３とガイド部３４は一体となって、口部３２に被せられたキャップとなっている。
このシャンプー容器３０は、シャフト部３５に連結されたポンプ（図示せず）を備えており、シャフト部３５と頭部３６を上下させることにより、ノズル３７からシャンプーが吐出するようになっている。
リンス容器４０は、シャンプー容器３０と同じ構造であり、胴部４１、口部４２、首部４３、ガイド部４４、シャフト部４５、頭部４６、ノズル４７等からなり、胴部４１と首部４３の間に円環状の溝部４８が形成されている。
首部４３とガイド部４４は一体となって、口部４２に被せられたキャップとなっている。
このリンス容器４０もシャンプー容器３０と同様に、シャフト部４５に連結されたポンプ（図示せず）を備えており、シャフト部４５と頭部４６を上下させることにより、ノズル４７からリンスが吐出するようになっている。
【００２６】
図１１は、液体容器保持具１でシャンプー容器３０とリンス容器４０を保持して棒状部材であるポールに固定した状態の斜視図、図１２は、第１挾持部材１０と第２挾持部材２０のポールを挟持している部分の横断面図、図１３は図１１のＥ−Ｅ断面図であり、図中５０はポールである。
以下、液体容器保持具１でシャンプー容器３０とリンス容器４０を保持してポール５０に固定する方法について説明する。
まず、第１挾持部材１０と第２挾持部材２０とでポール５０を前後から挟み込み、第１挾持部材１０の凸部１１ｅ１、１１ｅ２を、第２挾持部材２０の凹部２１ｄ１、２１ｄ２に嵌合させ、  液体容器保持具１をポール５０に固定する。
図１２に示すように、液体容器保持具１のポール５０への固定部分においては、第１挾持部材１０の低弾性率部材１４の内周面と、第２挾持部材２０の低弾性率部材２２の内周面がポール５０の外周面に密着する。
このとき、低弾性率部材１４の内周面と低弾性率部材２２の内周面で形成される円周面（ポールを挟持しない状態で形成される円周面）の内径は、ポール５０の外径より少し小さくなっており、ポール５０と挟んだ状態で凸部１１ｅ１、１１ｅ２を凹部２１ｄ１、２１ｄ２に嵌合させると、低弾性率部材１４と低弾性率部材２２が圧縮され、低弾性率部材１４、２２の内周面がポール５０の外周面に強く押し付けられ、液体容器保持具１がポール５０に強固に固定される。
【００２７】
次いで、第１挾持部材１０の回動アーム１２を回動させ、湾曲部１１ｂ１と湾曲アーム部１２ｂの間を広げてシャンプー容器３０の首部３３を把持する。
このとき、湾曲部１１ｂ１と湾曲アーム部１２ｂの内側にはバネ１６ａが係合されているため、回動アーム１２を回動させるとバネ１６ａに回動アーム１２を元に戻そうとする付勢力が生ずる。
これにより、図１３に示すように、湾曲部１１ｂ１の下端に設けられた第１リブ１１ｄ１と、湾曲アーム部１２ｂの下端に設けられた第２リブ１２ｄがシャンプー容器３０の溝部３８に係合し、シャンプー容器３０の首部３３が湾曲部１１ｂ１と湾曲アーム部１２ｂで挟持されて把持される。
次いで、第１挾持部材１０の回動アーム１３を回動させ、湾曲部１１ｂ２と湾曲アーム部１３ｂの間を広げてリンス容器４０の首部４３を把持する。
このとき、回動アーム１２と同様に、回動アーム１３を回動させると湾曲部１１ｂ２と湾曲アーム部１３ｂの内側にバネ１６ｂに回動アーム１３を元に戻そうとする付勢力が生じ、湾曲部１１ｂ１の下端に設けられた第１リブ１１ｄ２と、湾曲アーム部１３ｂの下端に設けられた第２リブ１３ｄがリンス容器４０の溝部４８に係合し、リンス容器４０の首部４３が湾曲部１１ｂ２と湾曲アーム部１３ｂで挟持されて把持される。
【００２８】
以上のように、液体容器保持具１においては、第１挾持部材１０と本体部１１の凸部１１ｅ１、１１ｅ２を第２挾持部材２０の凹部２１ｄ１、２１ｄ２に嵌合させて液体容器保持具１をポール５０に固定することから、液体容器保持具１のポール５０への固定部分は、可動機構を用いた複雑な機構ではなく、壊れ難いものである。
そして、ポール５０を挟持している第１挾持部材１０と第２挾持部材２０は、第２挾持部材２０を持ち上げて凸部１１ｅ１、１１ｅ２と凹部２１ｄ１、２１ｄ２の嵌合を外すことにより、ポール５０から容易に外すことができる。
このとき、第２挾持部材２０の本体部２１には突出部２１ｃ１、２１ｃ２が設けられていることから、この突出部２１ｃ１、２１ｃ２を手で押し上げことにより、凸部１１ｅ１、１１ｅ２と凹部２１ｄ１、２１ｄ２の嵌合を容易に外すことができる。
また、液体容器保持具１においては、第１挾持部材１０の回動アーム１２、１３を回動させ、湾曲部１１ｂ１、１１ｂ２と湾曲アーム部１２ｂ、１３の間を広げてシャンプー容器３０、リンス容器４０の首部３３、４３を把持することから、日数が経過しても、シャンプー容器３０やリンス容器４０等の液体容器の底に湯垢や洗浄剤のぬめり等が付着して汚れたり、液体容器保持具１が汚れたりすることはない。
さらに、シャンプー容器３０やリンス容器４０等の液体容器の首部の大きさはほぼ一定であるから、液体容器保持具１により種々の形状・大きさの液体容器を保持することができる。
【００２９】
［隙間補完部材］
図１４（ａ）は、本発明の隙間補完部材となるアダプターの斜視図、図１４（ａ）は、図１４（ａ）に示すアダプターの平面図であり、図中、６０はアダプター、６１は円筒部、６２、６３は凸条、６４は間隙である。
アダプター６０は、低弾性率部材１４、２２と同様に、エラストマーまたはゴムからなり、図１４に示すように、円筒部６１と円筒部６１の周面の対向する位置に軸方向（縦方向）に設けられた凸条６２、６３から構成され、円筒部６１には、円筒部６１を円周方向に分割する軸方向（縦方向）の間隙６４が設けられている。
このアダプター６０は、液体容器保持具１を固定するポール（棒状部材）の外径が小さく、第１挾持部材１０と第２挾持部材２０とでポール挟持した場合、低弾性率部材１４、２２の内周面とポールの間に隙間が生じた場合に使用される。
図１５は、図１４に示すアダプター６０を使用して液体容器保持具１を棒状部材であるポールに固定した状態の横断面図であり、図中、５１はポールである。
図１５に示すように、ポール５１を挟んで、第１挾持部材１０の凸部１１ｅ１、１１ｅ２が第２挾持部材２０の凹部２１ｄ１、２１ｄ２に嵌合され、低弾性率部材１４、２２の内周面とポール５１の間の隙間にアダプター６０が挿入されている。
この場合、アダプター６０の円筒部６１の内周面はポール５１の外周面に押し付けられ、凸条６２、６３が低弾性率部材１４、２２の内周面に押し付けられ、アダプター６０を介して液体容器保持具１がポール５１に強固に固定される。
そして、アダプター６０には、凸条６２、６３と間隙６４が設けられていることから、外径の異なるポール５１に、液体容器保持具１を固定することができる。
このようにアダプター６０を使用することにより、細い棒状部材に対しても、液体容器保持具１を強固に固定することができる。
【００３０】
［タオルハンガー］
本発明の物品保持具が保持する物品がタオルである場合について説明する。
図１６は、本発明の物品保持具が保持する物品がタオルである場合の本発明の実施形態であるタオルハンガーを第１挾持部材と第２挾持部材に分離した状態の斜視図であり、図中、２はタオルハンガー、７０は第１挾持部材、７１は本体部、７１ａは基部、７１ｅ１、７１ｅ２は凸部、７２は湾曲Ｕ字板、７２ａは前板、７２ｂは後板、７４は低弾性率部材である。
図１６に示すように、タオルハンガー２は、第１挾持部材７０と、液体容器保持具１の第２挾持部材と同じ第２挾持部材２０から構成され、第１挾持部材７０は、本体部７１、湾曲Ｕ字板７２及び低弾性率部材７４から構成される。
本体部７１は、液体容器保持具１の本体部１１と同様にポリエリレン、ポリプロピレン等のプラスチックを成形したもので、左右対称の構造であり、基部７１ａを備えている。
基部７１ａは、背面側に設けられた円筒面と、左右に突出する凸部７１ｅ１、７１ｅ２を有している。この凸部７１ｅ１、７１ｅ２は、液体容器保持具１の基部１１ａの凸部１１ｅ１、１１ｅ２と同じものであり、第２挾持部材２０の凹部２１ｄ１、２１ｄ２と嵌合する本発明の第１嵌合部となる。
湾曲Ｕ字板７２は、ポリエリレン、ポリプロピレン等のプラスチックを成形したもので、湾曲したＵ字形状を有し、前板７２ａと後板７２ｂを備え、後板７２ｂの背面が本体部１１の基部７１ａの正面に接着剤等で固定される。
この湾曲Ｕ字板７２の前板７２ａにタオルが掛けられ、湾曲Ｕ字板７２に物品であるタオルが保持され、湾曲Ｕ字板７２は、本発明の物品保持具における物品保持部となる。
低弾性率部材７４は、液体容器保持具１の低弾性率部材１４と同じものであり、本体部７１の基部７１ａの背面側にある円筒面に接着剤等により固定され、基部７１ａの背面側にある円筒面と低弾性率部材７４は、本発明の第１押付部となる。
【００３１】
タオルハンガー２を棒状部材であるポール５０に固定する方法は、液体容器保持具１をポール５０に固定する方法と同じである。
すなわち、第１挾持部材７０と第２挾持部材２０とでポール５０を前後から挟み込み、第１挾持部材７０の凸部７１ｅ１、７１ｅ２を、第２挾持部材２０の凹部２１ｄ１、２１ｄ２に嵌合させ、タオルハンガー２をポール５０に固定する。
このとき、第１挾持部材７０の低弾性率部材７４の内周面と、第２挾持部材２０の低弾性率部材２２の内周面がポール５０の外周面に密着するが、低弾性率部材７４の内周面と低弾性率部材２２の内周面で形成される円周面（ポールを挟持しない状態で形成される円周面）の内径は、ポール５０の外径より少し小さくなっており、ポール５０と挟んだ状態で凸部７１ｅ１、７１ｅ２を凹部２１ｄ１、２１ｄ２に嵌合させると、低弾性率部材７４と低弾性率部材２２が圧縮され、低弾性率部材７４、２２の内周面がポール５０の外周面に強く押し付けられ、タオルハンガー２がポール５０に強固に固定される。
【００３２】
［鏡保持具］
本発明の物品保持具が保持する物品が鏡である場合について説明する。
図１７は、本発明の物品保持具が保持する物品が鏡である場合の本発明の実施形態である鏡保持具を第１挾持部材と第２挾持部材に分離した状態の斜視図、図１８は、図１７に示す第１挾持部材の平面図、図１９は、図１７に示す第１挾持部材から鏡を外した状態の斜視図であり、図中、３は鏡保持具、８０は第１挾持部材、８１は本体部、８１ａは基部、８１ｂは角度調整部、８１ｃは取付軸、８１ｅ１、８１ｅ２は凸部、８２は鏡、８４は低弾性率部材である。
図１７〜図１９に示すように、鏡保持具３は、第１挾持部材８０と、液体容器保持具１の第２挾持部材と同じ第２挾持部材２０から構成され、第１挾持部材８０は、本体部８１、鏡８２及び低弾性率部材８４から構成される。
本体部８１は、液体容器保持具１の本体部１１と同様にポリエリレン、ポリプロピレン等のプラスチックを成形したもので、左右対称の構造であり、基部８１ａ、角度調整部８１ｂ及び取付軸８１ｃを備えている。
基部８１ａは、背面側に設けられた円筒面と、左右に突出する凸部８１ｅ１、８１ｅ２を有している。この凸部８１ｅ１、８１ｅ２は、液体容器保持具１の基部１１ａの凸部１１ｅ１、１１ｅ２と同じものであり、第２挾持部材２０の凹部２１ｄ１、２１ｄ２と嵌合する本発明の第１嵌合部となる。
角度調整部８１ｂは、プスチック製の枠体と枠体内に収納されるプスチック製の球体と球体受け等（図示せず）から構成され、背面が基部８１ａの正面に固定される。
取付軸８１ｃは、プスチック製の棒であり、一端が角度調整部８１ｂの球体に固定され、角度調整部８１ｂと鏡８２を連結する。
鏡８２は、プラスチック製の円板の枠を備え、この円板の枠の背面中心部に取付軸８１ｃの他端が固定され、角度調整部８１ｂにより鏡８２の角度が自由に調整できる。
低弾性率部材８４は、液体容器保持具１の低弾性率部材１４と同じものであり、本体部８１の基部８１ａの背面側にある円筒面に接着剤等により固定され、基部８１ａの背面側にある円筒面と低弾性率部材８４は、本発明の第１押付部となる。
【００３３】
鏡保持具３を棒状部材であるポール５０に固定する方法は、液体容器保持具１やタオルハンガー２をポール５０に固定する方法と同じである。
すなわち、第１挾持部材８０と第２挾持部材２０とでポール５０を前後から挟み込み、第１挾持部材８０の凸部８１ｅ１、８１ｅ２を、第２挾持部材２０の凹部２１ｄ１、２１ｄ２に嵌合させ、鏡保持具３をポール５０に固定する。
このとき、第１挾持部材８０の低弾性率部材８４の内周面と、第２挾持部材２０の低弾性率部材２２の内周面がポール５０の外周面に密着するが、低弾性率部材８４の内周面と低弾性率部材２２の内周面で形成される円周面（ポールを挟持しない状態で形成される円周面）の内径は、ポール５０の外径より少し小さくなっており、ポール５０と挟んだ状態で凸部８１ｅ１、８１ｅ２を凹部２１ｄ１、２１ｄ２に嵌合させると、低弾性率部材８４と低弾性率部材２２が圧縮され、低弾性率部材７４、２２の内周面がポール５０の外周面に強く押し付けられ、鏡保持具３がポール５０に強固に固定される。
【産業上の利用可能性】
【００３４】
本発明の物品保持具は、物品を保持してポール等の棒状部材に固定するに際し、可動する機構を用いた複雑な構造とせずに壊れ難くすると共に、固定具を棒状部材に強固に固定し移動しないようにでき、固定具を棒状部材から容易に外すことができ、シャンプー等が入った液体容器、タオルハンガー、鏡等の物品の保持に利用することができる。
また、本発明の液体容器保持具は、液体容器をポール等の棒状部材に保持して保管するに際し、日数が経過しても液体容器を保持する部材に汚れが生ずることなく、また、種々の形状・大きさの液体容器を保持でき、シャンプー、リンス、ボディーソープ等の洗髪料、洗顔料、洗浄料等が入った液体容器の保持に利用することができる。
【符号の説明】
【００３５】
１  液体容器保持具
２  タオルハンガー
３  鏡保持具
１０  第１挾持部材
１１  本体部
１１ａ  基部
１１ｂ１、１１ｂ２  湾曲部
１１ｃ１、１１ｃ２  孔部
１１ｄ１、１１ｄ２  第１リブ
１１ｅ１、１１ｅ２  凸部
１１ｆ１、１１ｆ２  段部
１２、１３  回動アーム
１２ａ、１３ａ  基部
１２ｂ、１３ｂ  湾曲アーム部
１２ｃ、１３ｃ  孔部
１２ｄ、１３ｄ  第２リブ
１４  低弾性率部材
１５ａ、１５ｂ  ボルト
１６ａ、１６ｂ  バネ
１７ａ、１７ｂ  ナット
２０  第２挾持部材
２１  本体部
２１ａ  半円筒部
２１ｂ１、２１ｂ２  直線部
２１ｃ１、２１ｃ２  突出部
２１ｄ１、２１ｄ２  凹部
２２  低弾性率部材
３０  シャンプー容器
４０  リンス容器
３１、４１  胴部
３２、４２  口部
３３、４３  首部
３４、４４  ガイド部
３５、４５  シャフト部
３６、４６  頭部
３７、４７  ノズル
３８、４８  溝部
５０、５１  ポール
６０  アダプター
６１  円筒部
６２、６３  凸条
６４  間隙
７０  第１挾持部材
７１  本体部
７１ａ  基部
７１ｅ１、７１ｅ２  凸部
７２  湾曲Ｕ字板
７２ａ  前板
７２ｂ  後板
７４  低弾性率部材
８０  第１挾持部材
８１  本体部
８１ａ  基部
８１ｂ  角度調整部
８１ｃ  取付軸
８１ｅ１、８１ｅ２  凸部
８２  鏡
８４  低弾性率部材
【図１】
2020200889.tif 000003
【図２】
2020200889.tif 000004
【図３】
2020200889.tif 000005
【図４】
2020200889.tif 000006
【図５】
2020200889.tif 000007
【図６】
2020200889.tif 000008
【図７】
2020200889.tif 000009
【図８】
2020200889.tif 000010
【図９】
2020200889.tif 000011
【図１０】
2020200889.tif 000012
【図１１】
2020200889.tif 000013
【図１２】
2020200889.tif 000014
【図１３】
2020200889.tif 000015
【図１４】
2020200889.tif 000016
【図１５】
2020200889.tif 000017
【図１６】
2020200889.tif 000018
【図１７】
2020200889.tif 000019
【図１８】
2020200889.tif 000020
【図１９】
2020200889.tif 000021